(57)【要約】【課題】操作ハンドルを収納位置または引出し位置に保持する機構の部品数が極限まで減少し、製造コストの節減とコンパクトな設計が可能であり、雨水や砂塵粒子から防護された引き出し回転操作型扉用ロックハンドル装置を提供する。【解決手段】操作ハンドル１０の基端部に嵌めた弾性支点部材１１を横断枢軸９で操作ハンドル１０に固定し、弾性支点部材１１の背面側に主軸３の前端座面１３に当接する係止突起１４を形成し、操作ハンドル１０が固定ケース１内に収納されているとき、係止突起１４の頂点部１４ａが、横断枢軸９を通る扉面と直角な基準直線３２に関して操作ハンドル１０の握り部１５の反対側に位置する一方、操作ハンドル１０が引き出されたとき、頂点部１４ａが前記基準直線３２を反対側に越えるように係止突起１４を形成する。錠前ユニット１６の前面部に弾性キャップ対１６を配備する。【選択図】    図７
2004251030.tif 000002
【特許請求の範囲】
【請求項１】
扉８に固着される固定ケース１の端部背面側に軸受筒部２を突設し、軸受筒部２に主軸３を回転可能かつ前後方向に移動不能に嵌め入れ装着し、主軸３の後端部に固定枠体４側の受金部５に係脱する錠止板６を連結し、主軸３の前端部に接合ボス部７を突設し、扉８と平行な横断枢軸９によって接合ボス部７に操作ハンドル１０の基端部を枢着して、操作ハンドル１０を固定ケース１に引き出し回転可能に収納し、中央溝部１２にて操作ハンドル１０の基端部に嵌め合わせた弾性支点部材１１を横断枢軸９によって操作ハンドル１０に固定し、弾性支点部材１１の背面側に主軸３の前端座面１３に当接する鈍角断面の係止突起１４を形成し、握り部１５を含めた操作ハンドル１０の主体部分が固定ケース１内に収納されているとき、係止突起１４の頂点部１４ａが、横断枢軸９を通る扉面と直角な基準直線３２に関して操作ハンドル１０の握り部１５の反対側に位置する一方、操作ハンドル１０が固定ケース１から引き出されたとき、係止突起１４の頂点部１４ａが基準直線３２を反対側に越えた位置に来るように係止突起１４を形成し、弾性変形する係止突起１４によって操作ハンドル１０を収納位置または引出し位置に保持するようにした引き出し回転操作型扉用ロックハンドル装置。
【請求項２】
操作ハンドル１０の握り部１５に操作ハンドル１０を固定ケース１に対して錠止する錠前ユニット１６の格納部１７を形成し、格納部１７の前面側に錠前ユニット１６の前面部を取り囲むリング状隆起部１８を形成し、握り部１５に沿って配置される弾性キャップ板１９の中間部背面側に、リング状隆起部１８に嵌め合わされるリング状突起部２０を形成し、弾性キャップ板１９の上端部背面側に、操作ハンドル１０の中間部の横長スロット２１に嵌め込まれる断面矩形の取付け脚板部２２を突出形成し、取付け脚板部２２の先端側面に横長スロット２１の背面側縁面に係合する抜け止めフック部２３を形成し、弾性キャップ板１９の下端部背面側に、操作ハンドル１０の下端部の受孔２４に嵌め込まれる引留め脚板部２５を突出形成し、引留め脚板部２５の側面に受孔２４の背面側縁面に係合するフック部２６を形成したことを特徴とする請求項１に記載の引き出し回転操作型扉用ロックハンドル装置。
【請求項３】
錠前ユニット１６の格納部１７の下側壁部に内外に貫通した排出孔２７を形成し、操作ハンドル１０の下端部背面側に排出孔２７に連通する排出溝２８を形成したことを特徴とする請求項１または請求項２に記載の引き出し回転操作型扉用ロックハンドル装置。
【請求項４】
固定ケース１の背面側に閉曲線を描く環状リブ２９を扉８の取付孔３０の外側位置に配置されるように連続させて形成し、固定ケース１と扉８の間に挿入したパッキング部材３１を環状リブ２９によって突き押すようにしたことを特徴とする請求項１ないし請求項３のいずれかに記載の引き出し回転操作型扉用ロックハンドル装置。
【請求項５】
主軸３の外周面に環状溝３２を複数個形成し、環状溝３２嵌め入れたＯ−リング３３を軸受筒部２の内周面に密着させたことを特徴とする請求項１ないし請求項４のいずれかに記載の引き出し回転操作型扉用ロックハンドル装置。
【請求項６】
主軸３の外周面段差部３４と軸受筒部２の内周面段差部３５の間に樹脂製ブッシュ３６を挿入し、固定ケース１の内面受溝３７に錠前ユニット１６の樹脂製ラッチ体３８を係脱させるようにしたことを特徴とする請求項１ないし請求項５のいずれかに記載の引き出し回転操作型扉用ロックハンドル装置。
【発明の詳細な説明】
【０００１】
【発明の属する技術分野】本発明は、各種機器類の収納ボックスなどの扉の施錠と開閉操作に使用される引き出し回転操作型の扉用ロックハンドル装置に関するものである。
【０００２】
【従来の技術】扉に固着される固定ケースの端部背面側に軸受筒部を突設し、軸受筒部に主軸を回転可能かつ前後方向に移動不能に嵌め入れ、主軸の後端部に固定枠体側の受金部に係脱する錠止板を連結し、主軸の前端部に接合ボス部を突設し、扉と平行な横断枢軸によって接合ボス部に操作ハンドルの基端部を枢着して、操作ハンドルを固定ケースに引き出し回転可能に収納した引き出し回転操作型の扉用ロックハンドル装置は、既に知られている（例えば特許文献１参照）。
【０００３】
この従来装置では、操作ハンドルを固定ケースに没入した状態、操作ハンドルを固定ケースから引き出した状態、操作ハンドルを解錠位置へ回転させた状態に保持するために、中央透孔にてバネ受け板を接合ボス部に相対回転不能に嵌め合わせ、バネ受け板の背面側に設けた空洞部にバネ受け板を前方に移動付勢する圧縮コイルバネを収容し、バネ受け板の前面側に形成した十文字状のクリック用凸部と操作ハンドルの基端部背面側に形成したＴ字状凹部を操作ハンドルの占める位置に応じて係脱させている。
【０００４】
しかしながら、このような保持機構では、圧縮コイルバネとバネ受け板は必須不可欠の構成部品であり、いずれを省略することも許されない。また、軸受筒部内には比較的板厚の厚いバネ受け板と一定の長さ寸法を有する圧縮コイルバネが収容される空洞部を確保しなければならないため、軸受筒部の奥行き寸法がそれだけ長くなってしまい、コンパクトな設計の障害となっている。
【０００５】
操作ハンドルの握り部に操作ハンドルを固定ケースに対して錠止する錠前ユニットを格納し、錠前ユニットの施錠軸に連動装備したラッチ体を固定ケースの内面に形成した受溝に係脱することによって、操作ハンドルが正当権限を有しない者によって無断で引出し回転操作されないようにした引き出し回転操作型扉用ロックハンドル装置も既に知られている（例えば特許文献２参照）。
【０００６】
しかしながら、この扉用ロックハンドル装置を屋外で使用する場合には、錠前ユニットの鍵孔を通って雨水や砂塵粒子が固定ケース内部に侵入して、可動部品間に目詰まりしたり、部品同士の遊隙内部で固結現象を起したりして各部品の作動不良を招くことがあった。また、雨水が錠前ユニット内に滞留するときには、酸化腐食に危険にも曝されている。雨水や砂塵粒子の侵入は主軸と軸受筒部の遊隙からも行われている。海岸近くの施設に使用される場合には、錠前ユニットのラッチ体が錆付いて動かなくなったり、主軸と軸受筒部間のブッシュが腐蝕して主軸が回らなくなる等の事例も報告されている。
【０００７】
【特許文献１】特許第２５０４７１４号公報
【特許文献２】特許第２９６９１１８号公報
【０００８】
【発明が解決しようとする課題】したがって本発明の目的は、操作ハンドルを所定位置に保持する機構の部品点数を極限まで省略することができ、軸受筒部の短縮によってコンパクトな設計が可能となる、引き出し回転操作型の扉用ロックハンドル装置を提供することである。
本発明の他の目的は、雨水や砂塵粒子の侵入に対して的確に防護され、海岸近くの施設に使用されても耐久性が高い引き出し回転操作型の扉用ロックハンドル装置を提供することである。
【０００９】
【課題を解決するための手段】以下、添付図面中の参照符号を用いて説明すると、請求項１の発明の引き出し回転操作型扉用ロックハンドル装置では、扉８に固着される固定ケース１の端部背面側に軸受筒部２を突設し、軸受筒部２に主軸３を回転可能かつ前後方向に移動不能に嵌め入れ装着し、主軸３の後端部に固定枠体４側の受金部５に係脱する錠止板６を連結し、主軸３の前端部に接合ボス部７を突設し、扉８と平行な横断枢軸９によって接合ボス部７に操作ハンドル１０の基端部を枢着して、操作ハンドル１０を固定ケース１に引き出し回転可能に収納し、中央溝部１２にて操作ハンドル１０の基端部に嵌め合わせた弾性支点部材１１を横断枢軸９によって操作ハンドル１０に固定し、弾性支点部材１１の背面側に主軸３の前端座面１３に当接する鈍角断面の係止突起１４を形成し、握り部１５を含めた操作ハンドル１０の主体部分が固定ケース１内に収納されているとき、係止突起１４の頂点部１４ａが、横断枢軸９を通る扉面と直角な基準直線３２に関して操作ハンドル１０の握り部１５の反対側に位置する一方、操作ハンドル１０が固定ケース１から引き出されたとき、係止突起１４の頂点部１４ａが基準直線３２を反対側に越えた位置に来るように係止突起１４を形成し、弾性変形する係止突起１４によって操作ハンドル１０を収納位置または引出し位置に保持する。ようにした引き出し回転操作型扉用ロックハンドル装置。
【００１０】
請求項２の発明の扉用ロックハンドル装置では、請求項１の発明の前記構成に加えて、操作ハンドル１０の握り部１５に操作ハンドル１０を固定ケース１に対して錠止する錠前ユニット１６の格納部１７を形成し、格納部１７の前面側に錠前ユニット１６の前面部を取り囲むリング状隆起部１８を形成し、握り部１５に沿って配置される弾性キャップ板１９の中間部背面側に、リング状隆起部１８に嵌め合わされるリング状突起部２０を形成し、弾性キャップ板１９の上端部背面側に、操作ハンドル１０の中間部の横長スロット２１に嵌め込まれる断面矩形の取付け脚板部２２を突出形成し、取付け脚板部２２の先端側面に横長スロット２１の背面側縁面に係合する抜け止めフック部２３を形成し、弾性キャップ板１９の下端部背面側に、操作ハンドル１０の下端部の受孔２４に嵌め込まれる引留め脚板部２５を突出形成し、引留め脚板部２５の側面に受孔２４の背面側縁面に係合するフック部２６を形成する。
【００１１】
請求項３の発明の扉用ロックハンドル装置では、請求項１または請求項２の発明の前記構成に加えて、錠前ユニット１６の格納部１７の下側壁部に内外に貫通した排出孔２７を形成し、操作ハンドル１０の下端部背面側に排出孔２７に連通する排出溝２８を形成する。
【００１２】
請求項４の発明の扉用ロックハンドル装置では、請求項１ないし請求項３のいずれかの発明の前記構成に加えて、固定ケース１の背面側に閉曲線を描く環状リブ２９を扉８の取付孔３０の外側位置に配置されるように連続させて形成し、固定ケース１と扉８の間に挿入したパッキング部材３１を環状リブ２９によって突き押す。
【００１３】
請求項５の発明の扉用ロックハンドル装置では、請求項１ないし請求項４のいずれかの発明の前記構成に加えて、主軸３の外周面に環状溝３２を複数個形成し、環状溝３２嵌め入れたＯ−リング３３を軸受筒部２の内周面に密着させる。
【００１４】
請求項６の発明の扉用ロックハンドル装置では、請求項１ないし請求項５のいずれかの発明の前記構成に加えて、主軸３の外周面段差部３４と軸受筒部２の内周面段差部３５の間に樹脂製ブッシュ３６を挿入し、固定ケース１の内面受溝３７に錠前ユニット１６の樹脂製ラッチ体３８を係脱させる。
【００１５】
【発明の作用】このように構成されている請求項１の発明の扉用ロックハンドル装置では、操作ハンドル１０の主体部分が固定ケース１内に収納されているときには、弾性支点部材１１の係止突起１４の頂点部１４ａは、横断枢軸９を通る扉面と直角な基準直線３２に関して操作ハンドル１０の握り部１５の反対側に位置している。そのため、弾性支点部材１１の弾性反発力による操作ハンドル１０に対する回転モーメントは、横断枢軸９を中心として図７６において反時計回り方向に働いており、操作ハンドル１０の握り部１５を固定ケース１の内底面に押し付けるように作用している。
これによって、操作ハンドル１０は固定ケース１内に収納された状態に保持される。
【００１６】
所定の操作によって操作ハンドル１０が固定ケース１から引き出される途中において前記係止突起１４の頂点部１４ａが前記基準直線３２を固定ケース１の握り部１５の収納部分側に越えたとき、弾性支点部材１１の弾性反発力による回転モーメントの作用方向が時計回り方向へと逆転し、操作ハンドル１０が所定角度まで固定ケース１から突出した段階では、係止突起１４の握り部１５とは反対側の斜面部１４ｂが主軸３の前端座面１３に当接する。これによって操作ハンドル１０は引出し状態に保持される。
【００１７】
固定ケース１の前方空間に斜めに引出された操作ハンドル１０を握り、軸受筒部２に支持されている主軸３を中心に回転させると、錠止板６が固定枠体４側の受金部５から離脱し、固定枠体４に対する扉８の錠止が解除され、扉８は操作ハンドル１０を手前に引くことによって開放される。
このように操作ハンドル１０が解錠位置へと回転するとき、係止突起１４の前記斜面部１４ｂは主軸３の前端座面１３に摺接しており、弾性支点部材１１の弾性反発力による回転モーメントは、操作ハンドル１０を引出し状態に保持させる方向に依然として作用している。
【００１８】
請求項２の発明の扉用ロックハンドル装置では、操作ハンドル１０には錠前ユニット１６が装着され、錠前ユニット１６の前面部を隠蔽する弾性キャップ板１９が操作ハンドル１０の握り部１５に取り付けられている。
鍵４０を錠前ユニット１６の施錠軸４１の鍵孔３９に挿入するには、引留め脚板部２５を操作ハンドル１０の受孔２４から引き抜き、図３に示したように弾性キャップ板１９を取付け脚板部２２を中心として真上方向に引き上げる。
この引き上げ操作の過程で弾性キャップ板１９側のリング状突起部２０が操作ハンドル１０側のリング状隆起部１８から外され、鍵孔３９が現われる。
鍵４０を挿入して錠前ユニット１６の施錠軸４１を所定方向に回すと、ラッチ体３８がロック溝３７から引出され、固定ケース１に対する操作ハンドル１０の錠止が解かれる。以降の操作は請求項１の発明と同じである。
【００１９】
【発明の実施の形態】図示の実施例では、主軸３は中間部の外周面段差部３４が軸受筒部２の内周面段差部３５に当ることによって固定ケース１の背面方向への移動を阻止される一方、主軸３の後端角軸部に嵌めた回転角度規制盤４８が軸受筒部２の背面に当接することによって、固定ケース１の前面方向への移動を阻止されている。外周面段差部３４と内周面段差部３５の間には樹脂製の鍔付きブッシュが挿入されている。回転角度規制盤４８と錠止板６は中央部の角孔にて後端角軸部に相対回転不能に嵌められ、ボルト４７によって主軸３に固定されている。主軸３の接合ボス部７は断面角形に形成され、その左右側面を貫通して軸孔５１が形成されている。樹脂製の弾性支点部材１１には、中央溝部１２を挟む左右側壁板部に係止突起１４が一対に張り出し形成されている。前記左右側壁板部には横断枢軸９が嵌挿される軸孔５０を中心部に形成してある。
【００２０】
主軸３の中間部外周面には前後２個の環状受溝３２が平行に形成されており、これら環状受溝３２には防水用Ｏ−リング３３を嵌め入れてある。
操作ハンドル１０の握り部１５の先端部には錠前ユニット１６の格納部１７が背面側に突出形成されている。所定の鍵４０によって錠前ユニット１６の施錠軸４１を回したとき、該施錠軸４１に連動装備した樹脂製のラッチ体３８が固定ケース１側のロック溝３７に係合することによって、操作ハンドル１０を収納位置に錠止するようになっている。施錠軸４１の内端面には偏心カム突起４３が形成され、偏心カム突起４３はラッチ体３７の基端部の受動スロット４３に挿入されている。操作ハンドル１０の軸孔５１は横断方向に貫通して形成されている。
【００２１】
固定ケース１は縦長となるように配置され、固定ケース１の背面側から当て付けられる取付用座金板４５とビス４６によって扉８に締付け固着されている。
錠前ユニット１６の格納部１７の下側壁部に形成された排出孔２７は前後方向に長いスロット状の者である。操作ハンドル１０の下端部背面側に形成された排出溝２８は、操作ハンドル１０の下端面まで貫通しており、その上部は排出孔２７に連通している。排出溝２４には弾性キャップ板１９の引留め脚板部２５が入り込んでいる。
固定ケース１の背面側に形成された環状リブ２９は、固定ケース１を扉８に取り付けたとき、扉８の取付孔３０の外側位置に来るように配置されている。
弾性支点部材１１は錆付きや腐蝕に対する耐久性を考慮して樹脂で作成するのが望ましい。
【００２２】
【発明の効果】以上のように本発明の引き出し回転操作型扉用ロックハンドル装置では、操作ハンドル１０を収納位置あるいは引出し位置に保持する機構は弾性支点部材１１のみによって構成され、構成部品数は極限まで減少しているので、製造コストの節減が可能である。
また、従来装置のように圧縮コイルバネの収容用空洞部を軸受筒部内に確保する必要が無く、弾性支点部材１１は操作ハンドル１０の基端部に一体的に嵌合固定されているので、軸受筒部を短縮化することができ、コンパクトな設計が可能となる。
【００２３】
請求項２の発明では、操作ハンドル１０に錠前ユニット１６の前面部を取り囲むリング状隆起部１８を形成し、弾性キャップ板１９の中間部背面側にリング状隆起部１８に嵌められるリング状突起部２０を形成し、弾性キャップ板１９の上端部背面側に操作ハンドル１０の横長スロット２１に嵌め込まれる取付け脚板部２２を形成し、弾性キャップ板１９の下端部背面側に操作ハンドル１０の受孔２４に嵌め込まれる引留め脚板部２５を形成したので、弾性キャップ板１９は錠前ユニット１６の前面部を隠蔽した位置に的確に装着保持される。
そのため、錠前ユニット１６の鍵孔３９や施錠軸外面と格納部内面間の遊隙などに対する雨水や砂塵粒子の侵入は確実に抑止され、各可動部品は固結現象を起したり錆付くことなく安定に作動する。
【００２４】
また、弾性キャップ板１９の取付け脚板部２２は断面矩形に形成されており、この取付け脚板部２２が操作ハンドル１０の横長スロット２１に嵌められているため、弾性キャップ板１９は操作ハンドル１０の前面に沿って取付け脚板部２２を中心に回転することはできない。弾性キャップ板１９は取付け脚板部２２で折り返すようにして真上方向に引き上げられるだけであるから、弾性キャップ板１９から指を離したときには、弾性キャップ板１９はその自重及び弾性反発力によって、直ちに垂直に垂れた位置に復帰し、錠前ユニット１６の前面部を隠蔽することになる。そのため、即座にリング状隆起部１８にリング状突起部２０を嵌めなくても、一定の防水・防塵効果が期待される。
【００２５】
請求項３の発明では、格納部１７の下側壁部に排出孔２７を形成し、操作ハンドル１０の下端部背面側に排出溝２８を形成してあるため、仮に弾性キャップ板１９を外している間に雨水等が侵入しても、排出孔２７と排出溝２８を経由して外部に直ちに排除されるため、機構部品の腐蝕の原因となることがない。
【００２６】
請求項４の発明では、固定ケース１の背面側に環状リブ２９を連続させて形成し、固定ケース１と扉８の間に挿入したパッキング部材３１を環状リブ２９で突押したとき、パッキング部材３１の被突押し部が前記取付孔３０を取り囲んで閉曲線を描くようになっているため、取付孔３０を経由した雨水等の侵入が的確に抑止される。
【００２７】
請求項５の発明では、主軸３の外周面に環状溝３２を複数個形成し、環状溝３２嵌め入れたＯ−リング３３を軸受筒部２の内周面に密着させたので、主軸３廻りからの雨水等の侵入がより確実に抑止される。
請求項６の発明では、主軸３の外周面段差部３４と軸受筒部２の内周面段差部３５の間に樹脂製ブッシュ３６を挿入し、固定ケース１の内面受溝３７に錠前ユニット１６の樹脂製ラッチ体３８を係脱させたので、錆付きや腐蝕に対して強化されて円滑に作動し、海岸近くの施設などで使用しても充分な耐久性を有するものとなる。
【図面の簡単な説明】
【図１】本発明の一実施例に係る引き出し回転操作型扉用ロックハンドル装置の正面図であり、扉は施錠状態にある。
【図２】図１の扉用ロックハンドル装置の左側面図である。
【図３】図１の扉用ロックハンドル装置の作動状態を鎖線で示した左側面図である。
【図４】図１の扉用ロックハンドル装置の背面図である。
【図５】図１の扉用ロックハンドル装置の平面図である。
【図６】図１の扉用ロックハンドル装置の底面図である。
【図７】図１のＡ−Ａ線断面図である。
【図８】図１の扉用ロックハンドル装置の座金板を鎖線で示した背面図である。
【図９】図１の扉用ロックハンドル装置が取り付けられる扉の正面図である。
【図１０】図１の扉用ロックハンドル装置に使用した固定ケースの横断面図である。
【図１１】図１の扉用ロックハンドル装置に使用した弾性キャップ板の背面図である。
【図１２】図１１の弾性キャップ板の底面図である。
【図１３】図１１のＢ−Ｂ線断面図である。
【図１４】図１の扉用ロックハンドル装置に使用した操作ハンドルの縦断面図である。
【図１５】図１４の操作ハンドルの背面図である。
【図１６】図１の扉用ロックハンドル装置に使用した弾性支点部材の右側面図である。
【図１７】図１６の弾性支点部材の背面図である。
【図１８】図１の扉用ロックハンドル装置に使用した樹脂製ブッシュの背面図である。
【符号の説明】
１  固定ケース
２  軸受筒部
３  主軸
４  固定枠体
５  受金部
６  錠止板
７  接合ボス部
８  扉
９  横断枢軸
１０  操作ハンドル
１１  弾性支点部材
１２  中央溝部
１３  主軸の前端座面
１４  弾性支点部材の係止突起
１５  握り部
１６  錠前ユニット
１７  格納部
１８  リング状隆起部
１９  弾性キャップ板
２０  リング状突起部
２１  横長スロット
２２  取付け脚板部
２３  抜け止めフック部
２４  受孔
２５  引留め脚板部
２６  フック部
【図１】
2004251030.tif 000003
【図２】
2004251030.tif 000004
【図３】
2004251030.tif 000005
【図４】
2004251030.tif 000006
【図５】
2004251030.tif 000007
【図６】
2004251030.tif 000008
【図７】
2004251030.tif 000009
【図８】
2004251030.tif 000010
【図９】
2004251030.tif 000011
【図１０】
2004251030.tif 000012
【図１１】
2004251030.tif 000013
【図１２】
2004251030.tif 000014
【図１３】
2004251030.tif 000015
【図１４】
2004251030.tif 000016
【図１５】
2004251030.tif 000017
【図１６】
2004251030.tif 000018
【図１７】
2004251030.tif 000019
【図１８】
2004251030.tif 000020